(57)【要約】  駆動手段で発生させた外力を人体に加えて、この外力に対抗させる力を人体に生じさせることで人体に運動させる運動装置であり、駆動手段が稼働した時間を運動時間として計時する計時手段２１と、計時された運動時間を日時とともに記録する記録手段６と、記録された運動時間から算出した累積運動時間を報知手段４を通じて使用者に報知する演算制御手段２とを備える。運動の継続性を高めることができるとともに計画的な運動を容易に実践することができる。
2009122549.tif 000002
【特許請求の範囲】
【請求項１】
駆動手段で発生させた外力を人体に加えて、この外力に対抗させる力を人体に生じさせることで人体に運動させる運動装置であり、上記駆動手段が稼働した時間を運動時間として計時する計時手段と、計時された運動時間を日時とともに記録する記録手段と、記録された運動時間から算出した累積運動時間を報知手段を通じて使用者に報知する演算制御手段とを備えていることを特徴とする運動装置。
【請求項２】
報知手段がディスプレーであり、上記演算制御手段は運動を行った日を上記ディスプレーにカレンダー形式で表示するものであることを特徴とする請求項１記載の運動装置。
【請求項３】
所望の達成目標運動量とこの目標運動量に達する達成目標日とを入力するための入力部を備えており、前記演算制御手段は、累積運動時間から導いた累積運動量と上記達成目標運動量との差である運動量差を現在日時から達成目標日までの日数で除算して１日当たりの目標運動量を求めるとともに該目標運動量を報知手段を通じて使用者に報知するものであることを特徴とする請求項１または２記載の運動装置。
【請求項４】
駆動手段の駆動制御も担う前記演算制御手段は、目標運動量が得られる運動時間だけ駆動手段を連続動作させるものであることを特徴とする請求項３記載の運動装置。
【請求項５】
コンテンツを記憶するコンテンツ記憶手段を備え、前記演算制御手段は、達成目標運動量を運動開始日から達成目標日までの日数で除算して得た運動量に、運動開始日から現在日時までの日数を乗算して仮想消化運動量を求めるとともに、該仮想消化運動量と前記累積運動量とがほぼ等しい時に上記コンテンツを実行するものであることを特徴とする請求項３または４記載の運動装置。
【請求項６】
上記コンテンツは開始日から達成目標日までの日数での日割り実行可能なものであり、前記演算制御手段は上記コンテンツのうちの開始日から現在日時までの分を実行するものであることを特徴とする請求項５記載の運動装置。
【発明の詳細な説明】
【技術分野】
【０００１】
本発明は、運動装置、殊に他動式の運動装置に関するものである。
【背景技術】
【０００２】
駆動手段で発生させた外力を人体に加えて、この外力に対抗させる力を人体に生じさせることで人体に運動させる他動式の運動装置があり、この種のものとしては特許文献１に示された乗馬を模した運動を行うことができる運動装置が知られている。
【特許文献１】特開２００１−２８６５７８号公報
【発明の開示】
【発明が解決しようとする課題】
【０００３】
上記のような運動装置を用いた運動は、その継続性がきわめて重要であり、できれば所定時間の運動を毎日行うことが好ましい。しかし使用者の時間的な都合や体調などで運動を怠ってしまうことが多々生じるのが通常であり、目標を立てて計画的に運動を行うにしても、計画倒れとなってしまうことがある。【０００４】
本発明は上記の点に鑑み為されたものであり、運動の継続性を高めることができるとともに計画的な運動を容易に実践することができる運動装置を提供することを課題とするものである。
【課題を解決するための手段】
【０００５】
上記課題を解決するために本発明に係る運動装置は、駆動手段で発生させた外力を人体に加えて、この外力に対抗させる力を人体に生じさせることで人体に運動させる運動装置において、上記駆動手段が稼働した時間を運動時間として計時する計時手段と、計時された運動時間を日時とともに記録する記録手段と、記録された運動時間から算出した累積運動時間を報知手段を通じて使用者に報知する演算制御手段とを備えていることに特徴を有している。これまでに運動を行った時間が報知されるために、使用者にしてみれば、累積運動時間を増やすという目標のもとに運動についてのモチベーションを高めやすく、効果的な運動を計画することができる。【０００６】
上記報知手段がディスプレーである場合、上記演算制御手段が運動を行った日を上記ディスプレーにカレンダー形式で表示するとよい。【０００７】
所望の達成目標運動量とこの目標運動量に達する達成目標日とを入力するための入力部を備え、前記演算制御手段は、累積運動時間から導いた累積運動量と上記達成目標運動量との差である運動量差を現在日時から達成目標日までの日数で除算して１日当たりの目標運動量を求めるとともに該目標運動量を報知手段を通じて使用者に報知するものとするのが好ましい。【０００８】
この場合、駆動手段の駆動制御も担う前記演算制御手段は、目標運動量が得られる運動時間だけ駆動手段を連続動作させるものであることが望まれる。【０００９】
さらに、コンテンツを記憶するコンテンツ記憶手段を備え、前記演算制御手段は、達成目標運動量を運動開始日から達成目標日までの日数で除算して得た運動量に、運動開始日から現在日時までの日数を乗算して仮想消化運動量を求めるとともに、該仮想消化運動量と前記累積運動量とがほぼ等しい時に上記コンテンツを実行するものとしてもよく、この時、上記コンテンツが開始日から達成目標日までの日数での日割り実行可能なものであれば、前記演算制御手段は上記コンテンツのうちの開始日から現在日時までの分を実行するものとするとよい。
【発明の効果】
【００１０】
本発明においては、運動装置を使用して運動を行うたびに運動時間が計測記憶されて累積運動時間が使用者に報知されるものであり、この運動装置を用いてどれだけ運動を行ったかを使用者は明確に知ることができるものであり、これに伴って累積運動時間を増やすという目標を立てて運動を行うことができて、運動の実践についてのモチベーション及び運動の継続性を高めやすく、また効果的な運動を計画することができるものである。【００１１】
そして、運動を行った日がディスプレーにカレンダー形式で表示されるものであれば、これまでに運動を行った日と行っていない日とを使用者は明確に判別することができるために、使用者は自身の運動履歴を容易に把握することができるとともに、今後の運動計画を立てやすくなる。【００１２】
所望の達成目標運動量とこの目標運動量に達する達成目標日とを入力するための入力部を備えたものとし、演算制御手段は、累積運動時間から導いた累積運動量と上記達成目標運動量との差である運動量差を現在日時から達成目標日までの日数で除算して１日当たりの目標運動量を求めるとともに該目標運動量を報知手段を通じて使用者に報知するものであれば、達成目標日までに達成目標運動量の運動を行うには、毎日どれだけの運動を行えばよいのかを使用者は容易に知ることができる。【００１３】
この場合、演算制御手段は目標運動量が得られる運動時間だけ駆動手段を連続動作させるものであると、確実にその日の目標運動量を達成することができる。【００１４】
さらに演算制御手段は、達成目標運動量を運動開始日から達成目標日までの日数で除算して得た運動量に、運動開始日から現在日時までの日数を乗算して仮想消化運動量を求めるとともに、該仮想消化運動量と前記累積運動量とがほぼ等しい時に上記コンテンツを実行するものとすれば、運動を計画に沿って順調に行っている時には、実行されるコンテンツを使用者は楽しむことができるために、毎日の運動についてのモチベーションを容易に高めることができる。【００１５】
この時、上記コンテンツが開始日から達成目標日までの日数での日割り実行可能なものであれば、前記演算制御手段は上記コンテンツのうちの開始日から現在日時までの分を実行するものとしておくと、たとえ運動をしていない日があっても、その日の分の運動も行えば、コンテンツをすべて楽しむことができる。
【図面の簡単な説明】
【００１６】
【図１】本発明の実施の形態の一例のブロック図である。
【図２】同上の概略動作を示すブロック図である。
【図３】同上の報知の一例を示す説明図である。
【図４】同上の報知の他例を示す説明図である。
【符号の説明】
【００１７】
１  運動機器
２  演算制御手段
３  入力部
４  表示部
５  コンテンツ格納部
６  記憶部
【発明を実施するための最良の形態】
【００１８】
以下、本発明を添付図面に示す実施形態に基いて説明すると、本発明に係る運動装置は、運動機器１と、この運動機器１の動作制御並びに運動履歴情報を管理する演算制御手段２とを主体とする。上記運動機器１は、モータ等の動力を備える駆動手段を備えて、この駆動手段によって使用者が乗ったり接触したりしている機器の一部を動かすことで使用者に外力を加えるものであり、使用者はこの外力に対抗する力を発揮することで運動を行うことになる。本発明においては運動機器１の種別や機能を問わないために具体的な構成を示すことは省略するが、前述の乗馬を模した運動を行うことができるものを好適に用いることができる。【００１９】
上記演算制御手段２は、マイクロコンピュータで形成されたもので、計時部２１と、運動機器１の動作制御を行う機器制御部２２と、履歴情報演算部２３とを備えている。これら計時部２１と機器制御部２２と履歴情報演算部２３は、マイクロコンピュータで実行されるソフトウェアによる機能として設けられたものである。【００２０】
そして上記演算制御手段２には、ユーザーからの入力のための入力部３が入力インターフェースに、ユーザーに対する報知のための報知手段としての表示部（ディスプレー）４が出力インターフェースに接続されており、さらに小説やビデオプログラムなどのコンテンツを納めたコンテンツ格納部５と、ユーザー情報を納めた記憶部６とが接続されている。【００２１】
上記記憶部６に納めたユーザー情報は、運動を行った日時とその時間の情報を主体とする運動履歴情報と、その使用者が選択したコンテンツが何であるか及びどこまで再生したかを記録したコンテンツ関係情報であり、各使用者毎にＩＤを付して記録している。【００２２】
今、使用者が運動機器１の電源を入れれば、演算制御手段２は上記表示部４に新規の使用であるかどうかを問い合わせる表示を行い、使用者が新規である旨を入力部３を通じて入力すれば、名前の問い合わせを使用者に対して行う。そして使用者が名前を入力すれば、演算制御手段２はこの使用者の名前をＩＤを付して記憶部６に記録する。【００２３】
そして使用者が入力部３における動作スイッチを投入することで上記運動機器１を作動せて運動を行ったならば、演算制御手段２はこの時の前記駆動手段の動力の動作時間を計時部２１を介して取得し、この動作時間を使用者の運動時間として日時とともに記憶部６に記録する。使用者が新規でない場合、演算制御手段２は名前またはＩＤを問い合わせて記憶部６に記憶させているユーザー情報と照合し、運動時間は該当ＩＤのデータに追記して記録する。運動を行えば、その時の運動時間が記録されていくものである。【００２４】
このように蓄積していく使用者毎の運動時間のデータは、履歴情報演算部２３において次のように加工されて使用者に表示部４を通じて報知される。一つはそれまでに記録した運動時間の累積値である累積運動時間を表示するものであり、この時、図３に示すように、運動を行った日をカレンダー形式で同時に表示すると、使用者にしてみれば、いつ運動を行ったのか、運動を行っていない日があったのか等、運動の継続性に関する情報も一目で把握することができる。【００２５】
また、上記履歴情報演算部２３は、使用者が入力する達成目標運動量と、この目標運動量に達する達成目標日とが入力されている時には、次の演算も行う。すなわち、上記運動機器１を用いた運動を行う時の運動時間と運動量との予め与えられた変換式に基づいて、上記累積運動時間から累積運動量を求め、上記達成目標運動量と累積運動量との差（運動量差）を求める。そして運動量差を、現在日時から達成目標日までの日数（残り日数）で除算して１日当たりの目標運動量を求め、該目標運動量を表示部４に表示する。【００２６】
使用者にしてみれば、これから毎日どのくらいの運動を行えば、達成目標運動量に相当する運動を達成目標日までに行うことができるかを把握することができる。この時、毎日行うべき目標運動量を表示するだけでなく、図４(a)に示すように、達成目標運動量を運動開始日から達成目標日までの日数（総日数）で割った目標運動量を毎日行う場合の運動量の増加Ｇ１と、これまでに行ってきた運動の累積運動量の増加Ｇ２とを折れ線グラフ形式で表示することで、日々の運動量の増加具合を使用者は的確に把握することができ、達成目標日までに達成目標運動量に達するようにする場合のこれからの運動量の増加具合Ｇ３も判断することができる。【００２７】
また、図４(b)に示すように、これまでの毎日の運動量Ｇ４と、達成目標日までに達成目標運動量に達するようにする時のこれから先の毎日の運動量Ｇ５とを日毎の棒グラフ形式で表示すれば、これまでの毎日の運動量Ｇ４と、これから先の毎日の運動量Ｇ５との差がどのくらいであるかを使用者が容易に知ることができる。【００２８】
さらには、達成目標日までに達成目標運動量に達するのに必要なこれから先の毎日の目標運動量が確実に得られるように、目標運動量が求められた時、演算制御手段２は次の運動機器１を利用した運動に際し、機器制御部２２を通じて目標運動量が得られることになる時間だけ運動機器１を連続動作させるものとしてある。運動を１日さぼれば、その日の目標運動量（運動時間）に相当する分が先の日々に分配され、総運動量は達成目標運動量となるように自動調整されるわけであり、このために、運動機器１を使用すれば達成目標運動量の運動を達成目標日までに確実に行うことができる。【００２９】
また、上記演算制御手段２は、達成目標運動量を運動開始日から達成目標日までの日数で除算して得た運動量に運動開始日から現在日時までの日数（消化日数）を乗算して得た仮想消化運動量と、それまでの累積運動量とを比較し、両者がほぼ等しい時、つまり使用者が順調に運動を重ねている時、その日の運動の終了後、コンテンツ格納部５に格納しているコンテンツの再生を行う。【００３０】
ただし、コンテンツの全編の再生は、達成目標日に達成目標運動量に達した場合であり、それまではコンテンツの一部のみの再生を行う。たとえば、コンテンツが小説である場合、開始日から達成目標日までの日数でコンテンツ内容を日割りして、運動開始日から現在日時までの分の再生を行うのである。たとえば、小説の１小節を１日に割り当てている場合、順調に運動を重ねていれば、毎日、１小節ずつ読み進むことができ、コンテンツが連続ドラマ形式のビデオプログラムである場合、順調に運動を重ねていれば、毎日、１話ずつ映像を見ることができるわけである。【００３１】
しかも、日割りによって定められた分以降のコンテンツは再生できないために、コンテンツの続きを楽しむには更に運動しなくてはならないわけであり、このために次の日も運動を行うことについての動機付けを使用者に対して行うことができ、運動の継続性を高めることができる。【００３２】
なお、前述のようにユーザー情報には運動履歴に加えて、コンテンツの再生情報も記録するものとしているために、使用者は翌日の運動後、前回読んだ（あるいは見た）内容の次の分を直ちに再生することができるものとなっている。【００３３】
運動時間を運動量としてそのまま扱ってもよく、また運動量として消費カロリーや歩数（歩行距離）などを用いるようにしてもよい。【００３４】
いずれにしても、運動装置、殊に他動式の運動装置は、使用者に目的意識がなければ継続することが難しいが、累積運動量を使用者に報知することで、累積運動量の値を大きくするという分かり易い目標を使用者に持たせることができるために、継続性を高めることができるものであり、特に達成目標運動量を設定して達成目標運動量と累積運動量とを比較することができるようにしていると、継続性をより高くすることができる。【００３５】
使用者に対する報知手段として、ディスプレーである表示部４を用いたものを示したが、音声報知を行うものであってもよい。また、使用者の心拍等の生理情報を取得する手段も備えたものとして、取得した生理情報もユーザー情報として記録し、必要に応じて使用者に示すことができるようにしておいてもよい。
【図１】
2009122549.tif 000003
【図２】
2009122549.tif 000004
【図３】
2009122549.tif 000005
【図４】
2009122549.tif 000006
【国際調査報告】
2009122549.tif 000007
2009122549.tif 000008
2009122549.tif 000009